(57)【特許請求の範囲】
【請求項１】
内部に形成した収納空間と該収納空間を外部へ開放し得る開口部とを有する収納家具本体と、前記開口部を閉塞する閉止位置と開放する開成位置との間で移動し収納空間を選択的に開閉可能な扉部と、扉部を移動可能に支持する支持アームを有し前記収納家具本体に設けた扉支持装置とを具備し、収納家具本体に、前記扉支持装置を収容し得る収容部を形成するとともに、収納家具本体において前記収容部を形成している部位の端部を覆い該収納家具本体とは別体をなす保護部材を配置し、該保護部材に、収容部から前記支持アームの一部を移動可能に表出させるスリットを形成していることを特徴とする収納家具。
【請求項２】
前記スリットの内奥部における開口幅寸法を、前端部側の開口幅寸法よりも小さく設定していることを特徴とする請求項１記載の収納家具。
【請求項３】
前記保護部材を、収納家具本体の外側端部側に配置される外側保護要素と、該外側保護要素の内側に配置される内側保護要素とから構成し、これら外側保護要素と内側保護要素とによって前記スリットを形成していることを特徴とする請求項１又は２記載の収納家具。
【請求項４】
収納家具本体が左右に対をなす前記収納部を具備し、これら一対の収納部に対してそれぞれ共通の外側保護要素及び内側保護要素を相互に上下左右を反転させた姿勢で配置していることを特徴とする請求項３記載の収納家具。
【請求項５】
外側保護要素と内側保護要素とが相互に分割可能なものであり、これら外側保護要素と内側保護要素との分割位置に前記スリットを形成していることを特徴とする請求項３又は４記載の収納家具。
【請求項６】
保護部材に、外側保護要素又は内側保護要素とを相互に凹凸係合させてこれらを所定位置に仮保持する仮保持部と、該仮保持部により外側保護要素と内側保護要素とを仮保持した位置でこれらを固定する固定部とを形成していることを特徴とする請求項５記載の収納家具。
【請求項７】
保護部材が、外側保護要素と内側保護要素との間に配置され、スリットの長手方向における開口寸法を前記支持アームの可動範囲に対応させるスリット長調節要素を具備していることを特徴とする請求項６記載の収納家具。
【請求項８】
前記固定部を利用して前記スリット長調節要素を配置していることを特徴とする請求項７記載の収納家具。
【請求項９】
収納家具本体が、収納空間の一部を構成する内側壁と外部に面した外側壁とからなりこれら内側壁と外側壁との間に前記収容部を形成した二重側壁を具備し、該外側壁の前縁部に沿って外側保護要素を着脱可能に取着していることを特徴とする請求項３、４、５、６、７又は８記載の収納家具。
【請求項１０】
外側保護要素と内側保護要素とを仮保持した位置でこれらを固定するべく保護部材に形成した固定部において、外側保護要素を前記外側壁と内側保護要素との間に共締めにより固定していることを特徴とする請求項９記載の収納家具。
【請求項１１】
外側保護要素又は内側保護要素の何れか一方又は両方の後端部に沿って、スリットの開口幅方向に起立してスリットの開口幅寸法を狭める突出片を形成していることを特徴とする請求項２、３、４、５、６、７、８、９又は１０記載の収納家具。
【請求項１２】
保護部材を、主として板金素材からなる収納家具本体の前縁部における切り離し端面を覆う位置に配置していることを特徴とする請求項１、２、３、４、５、６、７、８、９、１０又は１１記載の収納家具。
【発明の詳細な説明】
【０００１】
【発明の属する技術分野】
本発明は、物品を収納するための収納空間とそれを開閉する扉部とを有する収納家具に関するものである。
【０００２】
【従来の技術】
従来より、この種の収納家具には、収納空間を扉部によって開閉可能に支持する支持アームを備えた支持装置が収納家具本体に設けられているのが一般的である。そして、このような収納家具においては、前記支持装置を外部から隠蔽されるべく形成した収容部にに収容するとともに、この収容部の一部に形成したスリットを通じて支持アームを移動可能に外部へ突出させている。
【０００３】
【発明が解決しようとする課題】
ところが、このような構成の収納家具は、板金素材の加工により収納空間を構成する収納家具本体を形成したものが通常であり、前記スリットも板金素材の一部を切り開けて形成されている。したがって、支持アームが動作時に主たる動作方向とは異なる方向、例えばスリットの開口幅方向へ揺動すると、支持アームが擦れたスリットの開口縁部が損傷するおそれがある。また、デザイン上の観点等から収納家具本体のスリットを含む部位を湾曲又は屈曲した形状にしたいという要望があっても、板金素材を加工して当該部位を湾曲又は屈曲した形状に加工することは容易ではない。
【０００４】
そこで本発明は、簡素な構成で以上のような問題を一挙に解消し得る収納家具を提供することを主たる目的とするものである。
【０００５】
【課題を解決するための手段】
すなわち、本発明の収納家具は、内部に形成した収納空間と収納空間を外部へ開放し得る開口部とを有する収納家具本体と、前記開口部を閉塞する閉止位置と開放する開成位置との間で移動し収納空間を選択的に開閉可能な扉部と、扉部を移動可能に支持する支持アームを有し前記収納家具本体に設けた扉支持装置とを具備し、収納家具本体に、扉支持装置を収容し得る収容部を形成するとともに、収納家具本体において収容部を形成している部位の前端部を覆い収納家具本体とは別体の保護部材を配置し、この保護部材に、収容部から支持アームの一部を移動可能に表出させるスリットを形成していることを特徴としている。
【０００６】
このような構成の収納家具であると、保護部材に形成したスリット内を支持アームが通過することとなるため、支持アームに主たる移動方向と異なる方向へのブレが生じても収納家具本体が損傷を受けることがない。また、収納家具本体とは別部材である保護部材にスリットを形成することにより、収納家具本体にはスリット形成のための複雑な加工が不要となるため、例えば扉部が湾曲又は屈曲した形状を有しておりそれに対応して収納家具本体の開口部を扉部と同様の形状とした場合でも容易に対応できることになる。さらに、保護部材によって収納家具本体における収容部を形成する部位の前端部に対する外部からの衝撃等による損傷も有効に防止することができる。
【０００７】
このような構成の収納家具において、支持アームの動作による収納家具本体への損傷防止をより確実なものとしつつ、支持アームの移動時におけるブレを有効に防止するには、スリットの内奥部における開口幅寸法を、前端部側の開口幅寸法よりも小さく設定することが望ましい。
【０００８】
保護部材によるスリットの形成をより簡易なものとするためには、この保護部材を、収納家具本体の外側端部側に配置される外側保護要素及びその内側に配置される内側保護要素とから構成し、これら外側保護要素と内側保護要素とによってスリットを形成することが好ましい。
【０００９】
この場合、扉部の安定した動作を実現するとともに、部材の共通化を図り組み立ての容易化やコストダウンを有効に図るためには、収納家具本体に左右に対をなす収納部を設け、これら一対の収納部に対してそれぞれ共通の外側保護要素及び内側保護要素を相互に上下左右を反転させた姿勢で配置するとよい。
【００１０】
内外の保護要素の構造を簡素化しつつスリットの形成を簡易なものとするとともに、外側保護要素と内側保護要素とを相互に分割可能なものとして、これら外側保護要素と内側保護要素との分割位置に前記スリットを形成するとよい。このような構成の保護部材の組み立て及び分解を容易なものとするには、保護部材に、外側保護要素又は内側保護要素とを相互に凹凸係合させてこれらを所定位置に仮保持する仮保持部と、仮保持部により外側保護要素と内側保護要素とを仮保持した位置でこれらを固定する固定部とを形成することが望ましい。
【００１１】
さらに保護部材として、左右の収納部に対して共通の構成を有する外側保護要素と内側保護要素とを用いる場合、支持アームの可動範囲にスリットの長手方向の開口幅を容易に対応させるためには、スリットの長手方向における開口寸法を前記支持アームの可動範囲に対応させるスリット長調節要素を、外側保護要素と内側保護要素との間に配置することが好ましい。
【００１２】
このようなスリット長調節要素の取付構造の簡易化を図るには、内側保護要素を外側保護要素に固定する固定部を利用してこのスリット長調節要素を配置するように構成するとよい。
【００１３】
扉支持装置を収納空間の妨げとならない位置に設けることができ、しかもその扉支持装置を収容する収容部に対する保護部材の着脱の便を向上するためには、収納家具本体を、収納空間の一部を構成する内側壁と外部に面した外側壁とからなりこれら内側壁と外側壁との間に収容部を形成する二重側壁を有するものとして、外側壁の前縁部に沿って外側保護要素を着脱可能に取着するように構成することが好ましい。このような構成において、さらに内側保護要素の外側保護要素への取り付けの便と取付用部品の点数削減、及び取付後の部材の安定性とを向上するためには、上述した固定部において、外側保護要素を前記外側壁と内側保護要素との間に共締めにより固定することが有効となる。
【００１４】
また、スリットの奥部における開口幅寸法を、前端部側の開口幅寸法よりも小さく設定することが容易にできる具体的な構成としては、外側保護要素又は内側保護要素の何れか一方又は両方の後端部に沿って、スリットの開口幅方向に起立してスリットの開口幅寸法を狭める突出片を形成するとよい。
【００１５】
以上のような収納家具において、収納家具本体が主として板金素材からなるものである場合、収納家具本体自体の損傷と板金素材の切り離し端面による怪我の防止とを保護部材によって実現するためには、収納家具本体の前縁部における切り離し端面を覆う位置に保護部材を配置することが有効である。なお、保護部材に合成樹脂素材等を適用すると、スリットの形成や収納家具本体の損傷防止、怪我の防止等を容易且つ有効に図ることができる。
【００１６】
【発明の実施の形態】
以下、本発明の一実施形態を、図面を参照して説明する。
【００１７】
図１及び図２に示すこの実施形態は、パーティションパネル等により構成される壁面Ｗに取り付けた収納家具の一種である壁掛け式のキャビネットＡである。本実施形態に係るキャビネットＡは、例えば隣接するパーティションパネル間に形成したスリットＳに設けられたフック孔Ｓａに、ブラケットＢを介して取り付けるようにしたものである。図１〜図３に示すように、キャビネットＡは、収納家具本体たるキャビネット本体１と、扉部２と、扉部２を閉止位置Ｘと開成位置Ｙとの間で移動可能に支持する扉支持装置３とから主として構成される。図１は、キャビネット本体１の内部に形成された収納空間１ｓを扉部２によって閉塞した状態である閉止位置Ｘを示し、図２は、収納空間１ｓを開口部１１を通じて開放するべく扉部２を扉支持装置３によって上方へ移動させた状態である開成位置Ｙを示している。また図３は、閉止位置ＸにおけるキャビネットＡ全体の平面図である。以下、このキャビネットＡの各部について、図１〜図６を用いて具体的に詳述する。
【００１８】
まず、キャビネット本体１は、主として天壁１２、背壁１３、底壁１４、及び左右の側壁１５によって包囲される箱形をなすものである。そして、これら各壁により包囲される内部空間を収納空間１ｓとし、この収納空間１ｓを前方へ開放する矩形状の開口部１１を通じて外部に露出させている。
【００１９】
ここで、本実施形態では天壁１２及び背壁１３を、一枚の金属板を略直角に折り曲げ成形することにより形成しており、天壁１２と背壁１３の形状は、平面視又は背面視略長方形である。そして、天壁１２の上面を前記収納空間１ｓには収納しない物品を載置し得る物品載置面１２ａとして利用できるようにしている。また、底壁１４の上面は、収納空間１ｓ内の物品載置面を構成している。特に天壁１２及び底壁１４の各前端部には、下方へ折り曲げて前向面１２ｂ、１４ａを形成しており、剛性の向上を図っている。なお、この底壁１４を適宜に折り曲げ成形することによって下方に開口する凹部（図示省略）を形成して、この凹部に薄型の照明器具（図示省略）を配置し得るようにしている。また、底壁１４の両側端部には、扉部２に設けた後述するラッチを選択的に係合させる爪受け部１４１を左右に対をなして設けている。
【００２０】
さらに左右に対をなす側壁１５は、それぞれ内側板１５１及び外側板１５２の二重構造をなすものである。特に外側板１５２は、上縁、下縁、後縁を直線状に形成しているが、前縁を前方へ膨出させた部分円弧状に形成している。そして、これら内側板１５１と外側板１５２によって挟まれ、上方及び下方を前記天壁１２及び底壁１４により閉塞される空間の前端部側を、扉支持装置３を収容する扉支持装置収容部１５３としている。ここで、内側板１５１は収納空間１ｓを包囲する側壁を構成するものであり、他方、外側板１５２は、キャビネット本体１の外側壁を構成するものである。しかして、内側板１５２は、側面視略矩形状をなすものであり、天壁１２、背壁１３、及び底壁１４に固定して設けられている。これに対して外側板１５２は、収容部１５３の内部の扉支持装置３の動作確認や部品交換等のメンテナンスの便を考慮して、内側板１５１に着脱可能に取り付けられており、外側板１５２を取り外した際には、前記収容部１５３を外側方に開放して、扉支持装置３を露出させ得るようにしている。
【００２１】
具体的に、外側板１５２は、側面視概略矩形状をなし、前端部側を部分円弧状をなして内側板１５２よりも前方へ膨出させた形状を有する金属板を主体とするものである。図５及び図６に示すように、外側板１５２の上端部、後端部、及び下端部にはそれぞれ内側へ略直角に屈曲した屈曲片１５２ａ、１５２ｂ、１５２ｃを形成している。上端部及び下端部の屈曲片１５２ａ、１５２ｃの前端部は、前端部における膨出部分１５２ｘのやや後方位置に位置付けており、特に下端部における屈曲片１５２ｃはその先端部をさらに上方へ折り返している。また、後端部の屈曲片１５２ｂは、その上端部及び下端部を除く中間部分を矩形状に切り欠いている。これに対応して内側板１５１の下端部は、底壁１４を外側から抱くように外側方及び下方へ屈曲させて張り出させ、さらにその外側端部１５１ａを外方へ略水平及び上方へ略直角に屈曲させている。また、天壁１２の側縁部は、収納空間１ｓよりも外側方に延出させて延出片１２ｃを形成している。そして、外側板１５２の下端部の屈曲片１５２ａ及び天壁１２の延出片１２ｃを内側板１５１の上下の外側端部１５１ａ、１５１ｂに下方及び上方から嵌合させた位置に外側板１５２を取り付けている。このとき、外側板１５２の上端部の屈曲片１５２ａの上面と天壁１２の物品載置面１２ａたる上面とが略面一となるようにしている。さらに外側板１５２をこの位置に固定するために、本実施形態では次のような構成を採用している。すなわち、図５に示すように、内側板１５１の外向面における上端部に、正面視概略コ字形をなして前後に延びるチャネル状の補強部材１５１１を溶接等により取り付ける一方、外側板１５２の内向面における上端部にも同様の補強部材１５２１を設け、これら補強部材１５１ａ、１５２ａの対向面同士を添接させた状態で、収納空間１ｓ内から外側板１５２側の補強部材１５１１に設けたナットにビスを止着することにより、外側板１５２を内側板１５１に取り付けている。さらに、背壁１３の側端部には、外側板１５２の後端部の屈曲片１５２ｂの切り欠きに対応して内側に向けて矩形状をなすように切り欠きを形成しており、これら切欠部分と外側板１５２の後端部とによって形成される後開口溝１５４を通じて、ブラケットＢを後方から前記収容部１５３の後方に形成されたブラケット収容部１５５に収容し得るようにしている。なお、扉支持装置収容部１５３とブラケット収容部１５５とを区画し遮光を図るべく、内側板１５１の外向面には、内側板１５１と外側板１５２との対向面間距離に略等しい幅寸法を有する区画板１５６を取り付けている。
【００２２】
また、扉支持装置収容部１５３の前方位置には、天壁１２、底壁１４、内側板１５１及び外側板１５２の前縁部を保護し、且つ後述する扉支持装置３のうち扉部２を支持する支持アーム３１を移動可能に挿通させるための保護部材１６をそれぞれ配置している。具体的にこの保護部材１６は、左右の外側板１５２の前端部における膨出部分１５２ｘに取り付けられる外側保護要素１６１と、この外側保護要素１６１とは別体の分割可能な内側保護要素１６２とを主体としたものである。そして、これら外側保護要素１６１と内側保護要素１６２との間の分割位置に前記支持アーム３１を通過させるためのスリット１６ｓを形成し、さらにスリット１６ｓにおける支持アーム３１の移動方向に対応する開口寸法を調節し画定する開口寸法調節要素１６３を設けている。なお、左右の保護部材１６は、外側保護要素１６１と内側保護要素１６２とについて同一構成のものを上下左右を反転させた姿勢で使用することにより、部材を共通化し組み立ての便宜とコストダウンを図るようにしている。また、左右の開口寸法調節要素１６３については左右対称形状のものを用いている。そのため、以下では一方のみの保護部材１６について説明しているが、他方の保護部材１６も同様である。
【００２３】
具体的に説明すると、外側保護要素１６１は、外側板１５２の前端部における湾曲した膨出部分１５２ｘに対応する形状の起立壁１６１１と、この起立壁１６１１の上縁、前縁及び下縁に沿って外側方へ向けて延びる嵌合壁１６１２と、起立壁１６１１の上端部及び下端部において上下に対をなして内側方へ突出する突出部１６１３と、起立壁１６１１の後縁に沿って内側方へ突出する突出片１６１４とを主体とし、各部を一体成形した合成樹脂製の部材である。
【００２４】
起立壁１６１１は、外側板１５２の膨出部１５２ｘの形状にほぼ対応しており、その前縁の形状も外側板１５２の前縁と同様の部分円弧状をなしている。また、起立壁１６１１の中間高さ位置には、外側板１５２の内向面における中間高さ位置に取り付けたチャネル状の補強部材１５２２に取り付ける際に用いるビスｂ１を挿通するための貫通孔１６１１ａを厚み方向に形成している。さらに、起立壁１６１１の上端部及び下端部には、この起立壁１６１１を内側保護要素１６２と共に外側板１５２に取り付ける際に用いるビスｂ２を挿通するための貫通孔１６１１ｂを形成しており、起立壁１６１１の内向面にこの貫通孔１６１１ｂに対応する円筒状の突起１６１１ｃをほぼ水平姿勢で突出させている。なお、外側保護要素１６１を内側保護要素１６２とともに外側板１５２に取り付けるために、外側板１５２における前記補強部材１５２１と、外側板１５２の内向面における前端部側の下端部に設けた補強部材１５２３を用いるようにしている。また、貫通孔１６１１ｂを上下に挟む位置には、スリット長調節要素１６３を保持し得るやや小径の孔部１６１１ｄを厚み方向に開口させている。さらに、起立壁１６１１の外向面には、その前縁部の部分円弧形状に沿って外側方に突出し、先端部を外側板１５２の内向面に当接させる複数のリブ１６１１ｅを間欠的に突出させている。
【００２５】
嵌合壁１６１２は、上述したように起立壁１６１１の上縁、前縁及び下縁に沿って連続的に形成され、外側方へ突出して外側保護要素１６１の略平らな上壁及び底壁の一部と、部分円弧状に湾曲した前壁の一部を構成している。そして、この嵌合壁１６１２の外側端部における先端部に、略全域に亘ってやや薄肉とした段差１６１２ａを形成し、この段差１６１２ａに外側板１５２の膨出部分１５２ｘにおける上縁、前縁及び下縁を内側から嵌合させることで、外側板１５２の前端部における切り離し端面を被覆し隠蔽するようにしている。なお、起立壁１６１１の後縁における上端部及び下端部にも、嵌合壁１６１２よりもやや小さい幅寸法で外側方へ突出する起立片１６１１ｆを嵌合壁１６１２に連続させて形成しており、これら起立片１６１１ｆの後向面を、外側板１５２の上端部及び下端部に形成した屈曲片１５２ａ、１５２ｃの前端に対して前方から当接するようにしている。
【００２６】
また、突出部１６１３は、起立壁１６１１の上端部及び下端部において内側方へ突出する矩形角筒状をなし、起立壁１６１１の上端部及び下端部に開口する中空のものである。これら突出部１６１３の上壁及び底壁と前壁は嵌合壁１６１２の対応部位と表面において面一に連続して外側保護要素１６１の上壁及び底壁、及び前壁を構成している。一方、突出部１６１３の内向壁にはその外周よりもやや小さい大きさでさらに内側方へ突出させた突出端１６１３ａを形成している。
【００２７】
また、突出片１６１４は、起立壁１６１１の上端部及び下端部を避けて高さ方向中間部において内側方へ突出させた板状の部位である。その突出量は、前記突出部１６１３の内側方への突出量よりも小さくしている。
【００２８】
一方、内側保護要素１６２は、前述の外側保護要素１６１における起立壁１６１１と略同一形状をなす起立壁１６２１と、この起立壁１６２１の縁部全域に亘って外側方へ突出させた周壁１６２２とを主体としてなる合成樹脂一体成形品である。すなわち、起立壁１６２１は、外側保護要素１６１の起立壁１６１１と共に保護部材１６の左右の側壁を構成しており、また、周壁１６２２は、外側保護要素１６１の嵌合壁１６１２、突出部１６１３、突出片１６１４と共に保護部材１６の略平らな上壁、底壁及び背壁と、部分円弧状に湾曲した前壁を構成している。起立壁１６２１の上端部と下端部における前記貫通孔１６１１ｂの対応位置には、ビスｂ２を挿通させる貫通孔１６２１ａを厚み方向に形成すると共に、この貫通孔１６２１ａに連通し前記円筒状の突起１６１１ｃの先端と当接しあう円筒状の突起１６２１ｂを外側方へ突出させている。また、これら貫通孔１６２１ａ及び突起１６２１ｂよりも上方及び下方位置には、略水平な隔壁１６２３をそれぞれ形成しており、この隔壁１６２１と周壁１６２２の上端部及び下端部によって包囲され外側方に開口する部位を、外側保護要素１６１の突起部１６１２における突出端１６１３ａに嵌合させる凹部１６２４としている。このような構成により、凹凸係合により内側保護要素１６２を外側保護要素１６１に仮保持させる仮保持部を形成している。さらに、扁平な板状をなす周壁１６２２の後端部は、その外側縁部を前記外側保護要素１６１の突出片１６１４に対向するようにさらに外側方へ突出させた突出片１６２５を形成している。
【００２９】
そして、外側保護要素１６１を、その貫通孔１６１１ａに挿通したビスｂ１により外側板１５２の補強部材１５２２に待機させたナットｎ１に止着することにより外側板１５２に取り付けておき、内側保護要素１６２の凹部１６２４を外側保護要素１６１の突出端１６１３ａに嵌合させて仮保持した上で、各貫通孔１６２２ａ及び１６２１ｂに挿通したビスｂ２を、外側板１５２の補強部材１５２１、１５２３に待機させたナットｎ２に止着する。すなわち、このような構成によって内側保護要素１６２を外側保護要素１６１に固定する固定部を形成している。すると、外側保護要素１６１と内側保護要素１６２との間に、スリット１６ｓが形成される。具体的にこのスリット１６は、外側保護要素１６１の起立壁１６１１、突出部１６１３、突出片１６１４と、内側保護要素１６２の起立壁１６２１と周壁１６２２とによって包囲された領域に形成されている。そして、このスリット１６ｓはその内奥部において、外側保護要素１６１及び内側保護要素１６２の両突出片１６１４、１６２５の存在により、保護部材１６の後縁において、幅寸法が小さくなっている。また、スリット長調節要素１６３は、このように形成されたスリット１６ｓ内の下端部において、外側保護要素１６１に内側保護要素１６２を取り付ける前に装着される。
【００３０】
すなわち、スリット長調節要素１６３は、前記外側保護要素１６１、内側保護要素１６２よりも小型の合成樹脂一体成形品であり、内側保護要素１６２側に起立する起立壁１６３１と、この起立壁１６３１の縁部の全周に亘って外側保護要素１６１側へ突出する周壁１６３２とを主体としてなる概略矩形ボックス状をなすものである。起立壁１６３１の高さ方向中央部には、内側保護要素１６２の下端部における円筒状の突起１６２１ｂを挿通させる貫通孔１６３１ａを厚み方向に形成するとともに、この貫通孔１６３１ａに連続して外側方へ突出し外側保護要素１６１の下端部における突起１６１１ｃを挿通させ得るより大径の円筒状の突起１６３１ｂを形成している。また、この突起１６３１ｂを上下に挟む位置には、外側保護要素１６１の孔部１６１１ｄに挿入される円柱状突起１６３１ｃを外側方へ向けて突出させている。
【００３１】
そして、このスリット長調節要素１６３を取り付けるに際しては、前記仮保持部及び固定部の構成を利用する。具体的には、外側板１５２に取り付けた外側保護要素１６１の下側の突起１６１１ｃに円筒状の突起１６３１ｂを外嵌させて仮保持するとともに、一対の円柱状突起１６３１ｃをそれぞれ対応する孔部１６１１ｄに挿入することによって、スリット長調節要素１６３を外側保護要素１６１に保持させておき、前記突起１６３１ｂの内側面に沿う位置で外側保護要素１６１の突起１６１１ｃと内側保護要素１６２の突起１６２１ｂの先端同士を当接させるように内側保護要素１６２を位置付けて、前記ビスｂ２によって内側保護要素１６２と外側板１５２との間に、外側保護要素１６１とスリット長調節要素１６３とを共締めにする。
【００３２】
扉部２は、前方に膨出して湾曲する金属製の前板２１と、前板２１の背面側に取り付けたロ字形をなす補強部（図示省略）と、この補強部の下端部に取り付けられ前板２１の下方に位置付けた操作部２２とを具備している。
【００３３】
図１に示すように、閉止位置Ｘにおいて、前板２１の上端部はこの扉部２の天壁１２よりも上方に突出している一方、下端部はキャビネット本体１の下端よりもやや上方位置に設定している。そして、この前板２１の湾曲形状は、前記外側板１５２の前縁及び保護部材１６の前縁と同一箇所に中心を有する部分円弧状である。また、操作部２２は、前板２１の幅寸法よりも若干小さい幅寸法を有し、前板２１の下端部から後方及び下方へ屈曲した形状をなしており、下端部における両側端部に設けたラッチ（図示省略）を底壁１４に形成した爪受け部１４１に、閉止位置Ｘで選択的に係合させるようにしている。
【００３４】
このような構成の扉部２を支持する扉支持装置３は、扉部２を直接支持する支持部材たる１本の支持アーム３１と、この支持アーム３１を扉部２の開成方向へ付勢する付勢手段として機能する弾性付勢部材たるガススプリング３２とから構成される。これら支持アーム３１及びガススプリング３２は、前記扉支持装置収容部１５３内に収容されているが、これらの部材は、前記内側板１５１の外向面における後端部側に上下方向に延び起立姿勢で取り付けられ内側板１５１の補強を兼ねる取付部材１５１２に取り付けている。なお、左右の扉支持装置３は、それらが支持する扉部３により連結されて、同期動作するようにしている。
【００３５】
支持アーム３１は、側面視Ｖ字形をなす１本の金属棒からなるものである。そして、基端側の部位を前記取付部材１５１ｂに回転可能に取り付けた第１の支持要素３１１とし、先端側の部位を扉部２に固定して取り付けた第２の支持要素３１２としている。具体的に、第１の支持要素３１１の基端部は、図５に示すようにピン等により前記取付部材１５１２の上端部に枢着し、その枢着点を支持アーム３１の回転支点としている一方、第２の支持要素３１２の先端部を図示しないビス等を用いて補強部２２に後方から取り付けている。そして、図５に実線で示すように閉止位置Ｘにおいて、第２の支持要素３１２が略水平姿勢となり、これに対して第１の支持要素３１１が後傾姿勢となるようにしている。一方、同図に想像線で示すように開成位置Ｙにおいて、第１の支持要素３１１が略水平姿勢となり、第２の支持要素３１２が前傾姿勢となるようにしている。また、これら第１の支持要素３１１と第２の支持要素３１２とがＶ字形に開いた角度は、例えば本実施形態においては約１２０°としている。さらに第１の支持要素３１１の長手寸法は、その先端部が開成位置Ｙにおいて天壁１２の前端よりも若干前方に位置し、第２の支持要素３１２を前方の外部へ持ち出し得る程度に設定している。すなわち、この第２の支持要素３１２が、扉支持装置収容部１５３内から補強部材１６によって形成されるスリット１６ｓを通過して、前方へ延出していることになる。
【００３６】
ガススプリング３２には、シリンダ部及びロッド部を有する市販の一般的なものであり、本実施形態ではロッド部を下にして前傾姿勢で設けている。すなわち、ロッド部の下端部を前記取付部材１５１２に回転可能に取り付ける一方、シリンダ部の上端部を第１の支持要素３１１に回転可能に取り付けて、支持アーム３１を開成方向へ付勢するようにしている。本実施形態におけるロッド部の具体的な取付位置は、前記支持アーム３１の回転支点の略真下であり、これに対してシリンダ部の取付位置は、第１の支持要素３１１の長手方向中央部よりもやや上方位置である。
【００３７】
なお、閉止位置Ｘと開成位置Ｙにおいて、第２の支持要素３１２及び第１の支持要素３１１をそれぞれ水平姿勢に維持し、且つキャビネット本体１に対する支持アーム３１の衝突により生じ得る損傷の防止のため、内側板１５１の外向面の上下にそれぞれゴム製等のクッション部材３３、３４を設けている。具体的には、下側のクッション部材３３は、内側板１５１の前端部において外向面から外側方へ突出させたクッション取付部材３４ａの上面に取り付けたものであり、上側のクッション部材３４は、前記クッション部材３３の略真上の位置において前記補強部材１５１２の下向面に取り付けたものである。また、保護部材１６に形成したスリット１６ｓを通じて第２の支持要素３１２が前方へ突出することになるため、そのスリット１６ｓの最小開口幅寸法は支持アーム３１の厚み寸法よりも若干大きく設定してあり、さらにそのスリット１６ｓの長手方向における開口寸法は、第２の支持要素３１２の可動範囲に略等しくなるように、前記スリット長調節要素１６３の上面と外側保護要素１６１の上側の突出部上面と間の距離によって設定される。
【００３８】
以上のように各部を構成した結果、本実施形態は、キャビネット本体１の前縁部、特に外側板１５２の前縁部は湾曲した形状を有しているにも拘わらず、それには特別な加工を施すことなく、別体の保護部材１６によってスリット１６ｓを容易に設けることができる。そして、このようなスリット１６ｓ内を扉部２を支持する支持アーム３１を通過させることによって、支持アーム３１が通過時において主たる移動方向とは異なる方向に揺れたとしても、支持アーム３１によるキャビネット本体１への損傷も有効に防止できることとなる。また、樹脂製の保護部材１６によって、外側板１５２の切り離し端部である前端部を保護することができるので、外側板１５２及び他の部位の損傷や、切り離し端部において使用者が手を傷つける等という危険性も有効に低減することができる。
【００３９】
特に保護部材１６は、外側保護要素１６１と内側保護要素１６２に分割可能なものであり、これらの間にスリット１６ｓを形成しているため、スリット１６ｓの形成が極めて容易である。さらにこれらの部材は、上下左右を反転させることによってキャビネット本体の左右両側端部に配置するようにしているため、部材に共通化を図り、保護部材１６の着脱作業の簡便化と、部品点数の削減並びにコスト低減を実現することができる。そして、外側保護要素１６１及び内側保護要素１６２との間にスリット長調節要素１６３を配置することにより、外側保護要素１６１及び内側保護要素１６２を上下左右に反転させた際に、支持アーム３１の可動範囲に左右のスリット長を極めて容易且つ簡便に対応させることが化膿ある。
【００４０】
また、外側保護要素１６１及び内側保護要素１６２の後端部にはそれぞれスリット１６ｓの幅寸法をその内奥部において狭める突出片１６１４、１６２５を形成しているため、スリット１６ｓの前縁部には支持アーム３１が直接あたり難くなるため、保護部材１６の前縁部には支持アーム３１による損傷を防止して、外観を良好に維持することができる。特に、支持アーム３１が内側保護要素１６２をガイドとして内側保護要素１６２を擦りながら動作したとしても、支持アーム３１によって削られた内側保護要素１６２の樹脂の削りカスは扉支持装置収容部１５３内に蓄えられるので、キャビネットＡを配置している机上や床上を汚すこともない。支持アーム３１が外側保護要素１６１にガイドされて擦動した場合も同様である。
【００４１】
なお、本発明は上述した実施形態の構成に限られるものでない。例えば保護部材を単一の部材から構成したり、複数の部材から構成しても上記実施形態とは異なる構成としてもよいのは勿論である。本発明を壁掛け式のキャビネットに限らず収納家具一般について適用することも可能であるし、各収納家具の前縁部は湾曲した形状を有していなくてもよい。その他、各部の具体的構成についても上記実施形態に限られることなく、本発明の趣旨を逸脱しない範囲で種々変形が可能である。
【００４２】
【発明の効果】
本発明は、以上に詳述したように、扉部を支持する支持アームを移動可能に通過させるスリットを、収納家具本体とは別部材からなりその収納家具本体の一部を保護する保護部材に設けている。そのため、保護部材の存在によって収納家具を外部からの損傷から部分的に保護できるだけでなく、支持アームの移動に伴う収納家具本体の損傷を有効に防止することが可能である。また、収納家具本体にはスリットを造り込む必要がないためスリットの作成が容易であり、特にスリットの周囲を湾曲させたり屈曲させるなど従来ではスリットの形成が困難であったような収納家具においても、保護部材にスリットを形成することでの収納家具の種々の形状にスリットの形状を容易に対応させることができる。
【図面の簡単な説明】
【図１】本発明の一実施形態たる収納家具の使用状態における閉止位置を示す斜視図。
【図２】同実施形態の使用位置における開成位置を示す斜視図。
【図３】図１に対応する同実施形態の平面図。
【図４】図３におけるａ−ａ線断面図。
【図５】同実施形態の要部を分解して示す斜視図。
【図６】図５における部分拡大斜視図。
【符号の説明】
Ａ…収納家具（キャビネット）
Ｘ…閉止位置
Ｙ…開成位置
１…収納家具本体（キャビネット本体）
１ｓ…収納空間
２…扉部
３…扉支持装置
１１…開口部
１５…側壁
１６…保護部材
１６ｓ…スリット
３１…支持アーム
１５１…内側板
１５２…外側板
１５３…収容部（扉支持装置収容部）
１６１…外側保護要素
１６２…内側保護要素
１６１４、１６２５…突出片
１６３…スリット長調節要素
【図１】
0003713246.tif 000002
【図２】
0003713246.tif 000003
【図３】
0003713246.tif 000004
【図４】
0003713246.tif 000005
【図５】
0003713246.tif 000006
【図６】
0003713246.tif 000007